(57)【要約】本発明は、コピー制御を可能にする情報媒体のオペレーティングシステムに関し、デジタルデータ記録を含む物理媒体と、このような物理媒体を読み取って複写するための標準情報処理装置と、記録可能な複写媒体とを含んでおり、物理媒体への情報の記録フォーマットが、標準情報処理装置の複写機能を阻止するように決定され、システムが、前記物理媒体の条件付きの複写を可能にするように標準情報処理装置を修正する手段を含み、複写が、オリジナル記録とは異なる複写不能な記録を発生することを特徴とする。
2006510100.tif 000002
【特許請求の範囲】
【請求項１】
コピー制御を可能にする情報媒体のオペレーティングシステムであって、
デジタルデータ記録を含む物理媒体と、
このような物理媒体を読み取って複写するための標準情報処理装置と、
記録可能な複写媒体とを含んでおり、
物理媒体への情報の記録フォーマットが、標準情報処理装置の複写機能を阻止するように決定され、
システムが、前記物理媒体の条件付きの複写を可能にするように標準情報処理装置を修正する手段を含み、
複写が、オリジナル記録とは異なる複写不能な記録を発生することを特徴とするシステム。
【請求項２】
オリジナル物理媒体がＣＤであることを特徴とする請求項１に記載のオペレーティングシステム。
【請求項３】
オリジナル物理媒体がＣＤ−Ｒであることを特徴とする請求項１に記載のオペレーティングシステム。
【請求項４】
オリジナル物理媒体が光学基板であることを特徴とする請求項１に記載のオペレーティングシステム。
【請求項５】
オリジナル物理媒体がＤＶＤであることを特徴とする請求項１に記載のオペレーティングシステム。
【請求項６】
オリジナル物理媒体が着脱式のマスメモリであることを特徴とする請求項１に記載のオペレーティングシステム。
【請求項７】
着脱式のマスメモリがメモリカードであることを特徴とする請求項６に記載のオペレーティングシステム。
【請求項８】
オリジナル物理媒体がデジタル音響情報を含むことを特徴とする請求項１に記載のオペレーティングシステム。
【請求項９】
オリジナル物理媒体がデジタルビデオ情報を含むことを特徴とする請求項１に記載のオペレーティングシステム。
【請求項１０】
オリジナル物理媒体が情報処理プログラムを含むことを特徴とする請求項１に記載のオペレーティングシステム。
【請求項１１】
オリジナル物理媒体がシングルＲＯＭセッションを含むことを特徴とする請求項１に記載のオペレーティングシステム。
【請求項１２】
オリジナル物理媒体が一つの音響セッションと一つのＲＯＭセッションとを含むことを特徴とする請求項１に記載のオペレーティングシステム。
【請求項１３】
複写の物理媒体が一つのＲＯＭセッションと一つの音響セッションとを含むことを特徴とする請求項１に記載のオペレーティングシステム。
【請求項１４】
複写の物理媒体が、シングルＲＯＭセッションを含むことを特徴とする請求項１に記載のオペレーティングシステム。
【請求項１５】
前記情報処理装置が、複写された記録に透かしを入れる手段を含むことを特徴とする請求項１に記載のオペレーティングシステム。
【請求項１６】
前記透かしを入れる手段が、ウォーターマーキングタイプであることを特徴とする請求項１５に記載のオペレーティングシステム。
【請求項１７】
前記情報処理装置が、複写された記録のデジタルパターンの生成手段を含むことを特徴とする請求項１に記載のオペレーティングシステム。
【請求項１８】
前記パターンがフィンガープリントタイプであることを特徴とする請求項１７に記載のオペレーティングシステム。
【請求項１９】
情報処理装置は、記録の特徴に関連する複写条件が有効である場合のみ保護されるコピーの複写条件とプリント制御条件とを確認する手続で、記録特性と開始特性とを分析する複写手段を含むことを特徴とする請求項１に記載のオペレーティングシステム。
【請求項２０】
さらに、１個の識別子ベースと、前記識別子に関連する複数の許可とを有する制御手段を含み、確認手続が、識別子に対応する許可の状態を確認することからなることを特徴とする請求項１から１９のいずれか一項に記載のオペレーティングシステム。
【請求項２１】
前記識別子が、オリジナル媒体の少なくとも一部の識別子であることを特徴とする請求項２０に記載のオペレーティングシステム。
【請求項２２】
前記識別子が、前記オリジナル媒体を所有するユーザの識別子であることを特徴とする請求項２０に記載のオペレーティングシステム。
【請求項２３】
前記オリジナル物理媒体を所有するユーザの前記識別子が、電子署名タイプであることを特徴とする請求項２２に記載のオペレーティングシステム。
【請求項２４】
前記オリジナル物理媒体を所有するユーザの前記識別子が、電子アドレスタイプであることを特徴とする請求項２２に記載のオペレーティングシステム。
【請求項２５】
前記オリジナル物理媒体を所有するユーザの前記識別子が、電子メールタイプであることを特徴とする請求項２２に記載のオペレーティングシステム。
【請求項２６】
更新情報が、許可カウンタの状態を修正することを特徴とする請求項２０に記載のオペレーティングシステム。
【請求項２７】
オリジナル媒体の識別子が、物理媒体に関連する単一識別子であることを特徴とする請求項２０に記載のオペレーティングシステム。
【請求項２８】
オリジナル媒体の識別子が、第一の複写を実施した情報処理装置の識別子であることを特徴とする請求項２１に記載のオペレーティングシステム。
【請求項２９】
前記確認手続が自動的に行われ、情報処理装置が、複写後の識別子に関連する許可の更新情報をサーバに直接伝達することを特徴とする請求項２０に記載のオペレーティングシステム。
【請求項３０】
前記確認手続が非自動的に行われ、オリジナル媒体を所有するユーザが、許可を更新するためのパスワードを伝達することを特徴とする請求項２０に記載のオペレーティングシステム。
【請求項３１】
前記パスワードが、オリジナル媒体の識別子であることを特徴とする請求項３０に記載のオペレーティングシステム。
【請求項３２】
前記パスワードが、オリジナル媒体を所有するユーザの識別子であることを特徴とする請求項３０に記載のオペレーティングシステム。
【請求項３３】
前記パスワードが、オリジナル媒体の識別子と、オリジナル媒体を所有するユーザの識別子との組み合わせであることを特徴とする請求項３０に記載のオペレーティングシステム。
【発明の詳細な説明】
【技術分野】
【０００１】
本発明は、不当なコピーに対抗するためにデジタルデータ記録を安全化する分野に関する。本発明は、特に、マルチメディアのコンパクトディスク（オーディオ、ビデオ、「ｒｉｃｈ  ｍｅｄｉａ」．．．）、ＤＶＤ、ソフトウェア媒体、テレビゲームを対象とする知的所有権の管理に関する。
【背景技術】
【０００２】
従来技術では、ディスク、特に光学ディスクに記録されたデジタルデータをコピーから保護可能にする様々な解決方法が知られている。
【０００３】
米国特許第６４２５０９８号は、未許可のデータ読取装置によるコピーから、オリジナル記録媒体に記録されたデータを保護可能にする方法を記載している。データは、国際電子委員会の規格９０８に従って符号化されている。データの下位コードＱのチャンネルに変更を導入可能にするように符号化データの一部を修正し、その結果、修正データは、データ読取装置で使用される規格９０８のアプリケーションに適合するが、データ記録後のデータ読み取りを妨げることはない。修正データを含むデータは、オリジナル記録媒体に記録され、記録されたデータを読み取り可能にするアプリケーションが、データに行われた変更により著しく損傷されることなく機能するが、オリジナル記録媒体を未許可でコピーする際は、ほとんど修正不能なエラーが発生する。
【０００４】
国際公開第２０７５７３５号パンフレットは、コンテンツの不法コピーを再コピーしたり、場合によっては伝播したりするために用いられる可能性のあるデジタル音楽コンテンツのデジタル音響抽出を妨げながら、デジタル音楽コンテンツへのアクセスを電子権利プロトコルに従ってコンピュータのユーザに提供可能にするように構成された、コンパクトディスクのコピー保護を記載している。コピーから保護されるこのコンパクトディスクは、好適には、標準デジタル音響コンテンツを含む第一のセッションを、従来のコンパクトディスク読取装置で読み取り可能なフォーマットで含む。このコンパクトディスクは、また、同じデジタル音響コンテンツへのアクセスを代替形態でユーザコンピュータに提供するように構成された第二のセッションを含むが、この第二のセッションは、音響コンテンツを読み取るかまたはコピーするためのパスワードを要するプロトコル等の、電子権利プロトコルに従うものである。前記ディスクは、さらに、コピーに対する保護システムを備えており、このシステムは、標準デジタル音響コンテンツをそれ自体としてユーザコンピュータが識別しないようにするとともに、コンピュータを第二のセッションと代替の音響コンテンツとに導く。好適には、コピーに対するこうした保護システムは、コンパクトディスクのセッションを開始する空きエリアに配置される制御データ構成である。
【０００５】
従来技術では、また、欧州特許第１０４９０８７号明細書（ＶＩＣＴＯＲ  ＣＯＭＰＡＮＹ  ＯＦ  ＪＡＰＡＮ）により情報記録方法が知られている。データが媒体Ａから媒体Ｂに記録されるとき、この記録が転送により実行された場合、媒体Ａの権利に関する情報によって、複製権が失われることもあれば、失われないこともある。同時に、媒体Ａに記録されたデータを、不可逆的に消去またはスクランブルすることができる。この特許は、また、使用料の支払いシステムを記載している。
【０００６】
上記の文献は、複製の可能性という問題を考慮せずに複製権利の修正だけを論じている。そのため、複製権利のある媒体を所有する人は誰でもこれを複製できる。この問題は、従来技術の解決方法の重大な欠点の一つである。
【０００７】
さらに、従来技術の様々な解決方法は、国によって異なることがある使用条件をダイナミックに管理できない。一定の国は、個人的な使用に対してコピーを許可する権利を名義人に課す。他の国は、バックアップのためだけに一回または複数回のコピーを許可する。
【０００８】
このため、あらゆるコピーを完全に妨げるいくつかの技術的な解決方法は、非合法であり、あるいは、いずれにしても、法的な要求事項に適合しない。
【発明の開示】
【発明が解決しようとする課題】
【０００９】
本発明の目的は、
−許可されていないコピーの禁止
−個人コピーまたはバックアップの例外規定にかなう制約の遵守
という一見して矛盾する二つの制約を遵守する解決方法を提案することにある。
【課題を解決するための手段】
【００１０】
このため、本発明は、第一に、コピー制御を可能にする情報媒体のオペレーティングシステムに関し、
デジタルデータ記録を含む物理媒体と、
このような物理媒体の読み取りおよび複写のための標準情報処理装置と、
記録可能な複写媒体とを含んでおり、
物理媒体への情報の記録フォーマットが、標準情報処理装置の複写機能を阻止するように決定され、
システムが、前記物理媒体の条件付きの複写を可能にするように標準情報処理装置を修正する手段を含み、
複写が、オリジナル記録とは異なる複写不能な記録を発生することを特徴とする。
【００１１】
オリジナル物理媒体は、たとえば光学媒体または磁気光学媒体であり、
−ＣＤ
−ＣＤ−Ｒ
−ＤＶＤ
−ＤＶＤ−Ｒである。
【００１２】
オリジナル物理媒体が、同様に、たとえばｍｍｃ、フラッシュメモリ、またはメモリスティック式のメモリカードのような、着脱式のマスメモリである。
【００１３】
複写のオリジナル物理媒体ならびに物理媒体が、
−シングルＲＯＭセッションまたは
−音響セッションおよびＲＯＭセッションを含む。
【００１４】
有利には、情報処理装置が、たとえばウォーターマーキングタイプ等の複写記録の透かし手段を含む。
【００１５】
好適には、情報処理手段が、また、たとえばフィンガープリントタイプ等の、複写記録のデジタルパターンの生成手段を含む。
【００１６】
好適には、情報処理装置は、記録の特徴に関連する複写条件が有効である場合のみ保護されるコピーの複写条件とプリント制御条件とを確認する手続で、記録特性と開始特性とを分析する複写手段を含む。
【００１７】
有利には、情報処理装置は、さらに、１個の識別子ベースと、前記識別子に関連する複数の許可とを有する制御手段を含み、確認手続は、識別子に対応する許可の状態を確認することからなる。
【００１８】
実施形態によれば、識別子が、オリジナル媒体の少なくとも一部の識別子である。
【００１９】
第二の実施形態によれば、識別子が、前記オリジナル媒体を所有するユーザの識別子である。
【００２０】
前記オリジナル物理媒体を所有するユーザの識別子は、電子署名、電子アドレス、または電子メールタイプとすることができる。
【００２１】
好適には、更新情報が、許可カウンタの状態を修正する。
【００２２】
変形実施形態によれば、オリジナル媒体の識別子が、物理媒体に関連する単一識別子である。
【００２３】
別の変形実施形態によれば、オリジナル媒体の識別子が、第一の複写を実施した情報処理装置の識別子である。
【００２４】
実施形態によれば、確認手続が自動的に行われ、情報処理装置が、複写後の識別子に関連する許可の更新情報をサーバに直接伝達する。
【００２５】
別の実施形態によれば、確認手続が非自動的に行われ、オリジナル媒体を所有するユーザが、許可を更新するためのパスワードを伝達する。
【００２６】
好適には、このパスワードが、オリジナル媒体の識別子、オリジナル媒体を所有するユーザの識別子、または、この２つの識別子の組み合わせである。
【００２７】
本発明は、限定的ではない実施形態に関する以下の説明を読めば、いっそう理解されるであろう。
【発明を実施するための最良の形態】
【００２８】
図１は、本発明を実施するためのアーキテクチャの一例を示している。
【００２９】
本発明は、例ではＣＤ（１）である記録媒体を使用する。
【００３０】
デジタル情報は、音響ファイルやデジタルビデオファイル、またはコンピュータプログラムファイルであっても、さらには複数の異種ファイルの組み合わせであっても、標準でないデジタル符号化フォーマットで記録される。
【００３１】
これは、特に、音響または視聴覚セッションと、ＲＯＭセッションとを備えたダブルセッションのＣＤまたはＤＶＤに関する。これは、また、高圧縮ビデオの追加（ボーナス）コンテンツを備えたＣＤに関する。
【００３２】
ＣＤまたはＤＶＤは、シングルＲＯＭセッションを備えうるものとする。
【００３３】
そのためには、放送システムの経営者に固有の暗号化装置を用いて、ディスクのプレス用の母型を構成する。
【００３４】
ディスクは、たとえばマイクロコンピュータまたは専用読取装置といった、適切な読取装置と情報処理装置（２）とを含む通常の装置で読み取られる。
【００３５】
この装置は、周知のように、読取装置（２）から送られる信号処理用のソフトウェアまたはハードウェア手段（３）を含む。
【００３６】
固有の暗号化を理由として、解凍アルゴリズムにより記録情報を再生することはできない。標準「プレーヤー（ｐｌａｙｅｒ）」（３）の動作を禁止する他の解決方法を検討してもよい。
【００３７】
たとえば「プラグイン（ｐｌｕｇ−ｉｎ）」または特別な「プレーヤー」のようなアプリケーション（４）を情報処理装置に記録する。
【００３８】
信号の利用とコンテンツの再生とを実施するのは、このアプリケーションである。
【００３９】
ディスクのコピーは、従来から、「プレーヤー」（３）の記録機能と複製機能とによって実施されている。これらの機能は、オリジナルＣＤ（１）の暗号化フォーマットと、プレーヤー（３）の標準フォーマットとが相違するために有効でない。
【００４０】
アプリケーション（４）は、一つの条件が確認されたときのみ作動可能な複製機能を含む。この条件は、たとえば、以前に行われた複製の回数から、あるいは、要求者のプロフィールから、さらには、財政条件から構成される。そのため、アプリケーションは、記録または計算されたマーカの状態を、利用中のＣＤの識別子との組み合わせで問い合わせる。このマーカは、装置（２）が通信インターフェース（６）を介して対話するサーバ（５）か、または、たとえばメモリカード等のＣＤに結合される媒体か、あるいはカスタマイズされた再書き込み可能な記録媒体で、記録または計算可能である。これは、また、ＣＤ自体の記録層とすることもできる。
【００４１】
コピー許可を発行するためのサーバとのこうした自動対話モードは、「直接モード」と呼ばれる。
【００４２】
しかし、また、所有者であるユーザの識別子の送信によってユーザが識別されるような間接的な発行モードも存在する。その場合、この送信は、ＳＭＳまたは電子メールとすることができる。これは、ユーザの識別子と製品の識別子とからなる作動パスワードを送り、識別が有効な場合には、個人コピーの権利を返信として受信するものである。
【００４３】
さらに、コピーの権利の発行のためにアプリケーションに問い合わせを行う記録されたマーカを、利用中のＣＤに結合するのではなく、ＣＤ自体を所有するユーザに結合することを検討してもよい。従って、機械に対してだけではなく自然人に対してコピーの権利を許可することができる。
【００４４】
もちろん、２個の識別子、ＣＤを所有するユーザ、およびＣＤに応じたマーカの使用が可能である。
【００４５】
安全性とトレーサビリティを理由として、アプリケーション（４）は、また、コピーのマーキング手段を含むことができる。マーキング手段は公知のタイプであり、たとえば、ウォーターマーキングによる透かし手段、または、フィンガープリントによるデジタルパターン手段である。このようにコピーにマーキングすると、マーキングのタイプに応じて、ユーザがコピーを実施したのか、あるいはオリジナル媒体がコピーに使用されたのかを知ることができる。
【００４６】
ウォーターマーキングは、アナログモードでも通用するので、コピーのトレーサビリティに対して満足のいくものである。
【００４７】
以上、本発明について、例としてのみ説明した。当業者が、特許の範囲を逸脱することなく発明の様々な変形実施形態を実現できることは自明である。
【図面の簡単な説明】
【００４８】
【図１】本発明によるシステムの概略図である。
【符号の説明】
【００４９】
１  ＣＤ
２  情報処理装置または読取装置
３  プレーヤー
４  アプリケーション
５  サーバ
６  通信インターフェース
【図１】
2006510100.tif 000003
【国際調査報告】
2006510100.tif 000004
2006510100.tif 000005
2006510100.tif 000006
2006510100.tif 000007
2006510100.tif 000008
2006510100.tif 000009